【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  受信データパケットのために二つの応答信号を伝送するシステムにおいて、
基準電力レベルと第１規定電力レベル差で第１応答信号を伝送する過程と、
基準電力レベルと前記第１規定電力レベルとの差とは相違な第２規定電力レベル差で第２応答信号を伝送する過程と、を順次行うことを特徴とする応答信号送信方法。
【請求項２】  前記二つの応答信号の送信電力レベルは、前記基準電力レベルからそれら二つの応答信号中、何れか一つの電力レベル方向にシフトされた臨界値に基づいて決定されることを特徴とする請求項１記載の応答信号送信方法。
【請求項３】  前記第１応答信号は、パケットデータの正しい受信を示すＡＣＫ信号で、前記第２応答信号はパケットデータのエラー受信を示すＮＡＣＫ信号で、それら二つの応答信号中、何れか一つは、ＡＣＫ信号であることを特徴とする請求項２記載の応答信号送信方法。
【請求項４】  前記ＡＣＫ信号の電力レベルと臨界値との差は、ＡＣＫ信号を他の信号に誤判する確率に基づくことを特徴とする請求項３記載の応答信号送信方法。
【請求項５】  前記ＮＡＣＫ信号の電力レベルと臨界値との差は、ＮＡＣＫ信号を他の信号に誤判する確率に基づくことを特徴とする請求項３記載の応答信号送信方法。
【請求項６】  前記ＡＣＫ信号の電力レベルと臨界値との差は、ＮＡＣＫ信号の電力と臨界値との差より小さいことを特徴とする請求項３記載の応答信号送信方法。
【請求項７】  前記ＮＡＣＫ信号の電力レベルは、ＡＣＫ信号の電力レベルの１／２より小さいことを特徴とする請求項６記載の応答信号送信方法。
【請求項８】  前記臨界値は、無応答を前記二つの応答信号中、何れか一つに誤判する確率に基づくことを特徴とする請求項２記載の応答信号送信方法。
【請求項９】  前記基準電力レベルは、不連続伝送（ＤＴＸ）を示すことを特徴とする請求項１記載の応答信号送信方法。
【請求項１０】  前記第２規定電力レベル差は、第１規定電力レベル差の１／２より小さいことを特徴とする請求項９記載の応答信号送信方法。
【請求項１１】．  データパケットを受信するための受信機と、
第１電力レベルを有するＡＣＫ信号と前記第１電力レベルと相違な第２電力レベルを有するＮＡＣＫ信号を送信するための送信機と、を包含して構成されたことを特徴とする応答信号送信装置。
【請求項１２】  前記第１電力レベルは、ＡＣＫ信号をＮＡＣＫ信号に誤判する確率を避けるための要求電力レベルと基本的に同様であることを特徴とする請求項１１記載の応答信号送信装置。
【請求項１３】  前記第２電力レベルは、ＮＡＣＫ信号をＡＣＫ信号に誤判する確率を避けるための要求電力レベルと基本的に同様であることを特徴とする請求項１１記載の応答信号送信装置。
【請求項１４】  自動反復要請（ＡＲＱ）を使用する少なくとも一つの応答信号を伝送するシステムにおいて、
基準電力レベルと第１規定電力レベルとの差で第１応答信号を伝送する過程と、
基準電力レベルと前記第１規定電力レベルとの差とは相違な第２規定電力レベル差で第２応答信号を伝送する過程と、を順次行うことを特徴とする応答信号送信方法。
【請求項１５】  前記第１応答信号は、臨界値を基礎に決定されることを特徴とする請求項１４記載の応答信号送信方法。
【請求項１６】  前記臨界値は、前記基準電力レベルより比較的大きいことを特徴とする請求項１５記載の応答信号送信方法。
【請求項１７】  前記臨界値は、不連続伝送（ＤＴＸ）を前記第１、第２応答信号中、何れか一つに誤判することを回避する確率に基づくことを特徴とする請求項１５記載の応答信号送信方法。
【請求項１８】  前記第１応答信号は、パケットデータの正常的受信を示すＡＣＫ信号で、前記第２応答信号はパケットデータのエラー受信を示すＮＡＣＫ信号であることを特徴とする請求項１４記載の応答信号送信方法。
【請求項１９】  前記第２規定電力レベル差は、少なくとも第１規定電力レベル差の１／２であることを特徴とする請求項１４記載の応答信号送信方法。
【請求項２０】  前記第２規定電力レベル差は、第１規定電力レベル差の１／２より小さいことを特徴とする請求項１９記載の応答信号送信方法。
【請求項２１】  前記基準電力レベルは、不連続伝送（ＤＴＸ）を示すことを特徴とする請求項１４記載の応答信号送信方法。
【請求項２２】  前記第１規定電力レベル差は、ＡＣＫ信号をＮＡＣＫ信号に誤判することを避けるための確率に基づくことを特徴とする請求項１８記載の応答信号送信方法。
【請求項２３】  前記第２規定電力レベル差は、ＮＡＣＫ信号をＡＣＫ信号に誤判することを避けるための確率に基づくことを特徴とする請求項１８記載の応答信号送信方法。
【請求項２４】  データを受信するための手段と、
第１電力レベルを有するＡＣＫ信号を送信するための手段と、
前記第１電力レベルで基づかない第２電力レベルを有するＮＡＣＫ信号を送信するための手段と、を包含して構成されたことを特徴とする応答信号送信装置。
【請求項２５】  前記第１電力レベルは、ＡＣＫ信号をＮＡＣＫ信号に誤判する確率を避けるために基本的に要求電力レベルと同様であることを特徴とする請求項２４記載の応答信号送信装置。
【請求項２６】  前記第２電力レベルは、ＮＡＣＫ信号をＡＣＫ信号に誤判する確率を避けるために基本的に要求電力レベルと同様であることを特徴とする請求項２４記載の応答信号送信装置。
【請求項２７】  自動反復要求に基づいたＡＣＫ信号及びＮＡＣＫ信号を使用するディバイスにおいて、
ＡＣＫ信号をＮＡＣＫ信号に誤判する確率を避けるために要求ＡＣＫ信号電力レベルを決定する過程と、
前記要求ＡＣＫ電力レベルで基づいてディバイスの実際ＡＣＫ送信電力を決定する過程と、
ＮＡＣＫ信号をＡＣＫ信号に誤判する確率を避けるために要求ＮＡＣＫ信号電力レベルを決定する過程と、
前記実際ＡＣＫ送信電力及び独立的な前記ディバイスの実際ＮＡＣＫ送信電力を決定する過程と、を順次行うことを特徴とするエラー回避方法。
【請求項２８】  基準電力レベルと第１規定電力レベルとの差でＡＣＫ信号を伝送する過程と、
基準電力レベルと前記第１規定電力レベルとは相違な第２規定電力レベル差でＮＡＣＫ信号を伝送する過程と、を順次行うことを特徴とする無線通信システムでＡＣＫ／ＮＡＣＫ無線信号の送信方法。
【請求項２９】  前記ＡＣＫ及びＮＡＣＫ信号の送信電力レベルは、前記基準電力レベルからＡＣＫ信号の電力レベルの方向にシフトされた臨界電力レベルで基づいて決定されることを特徴とする請求項２８記載の無線通信システムにおけるＡＣＫ／ＮＡＣＫ無線信号の送信方法。
【請求項３０】  前記ＡＣＫ信号の電力レベルと臨界電力レベルとの差は、ＡＣＫ信号のエラー判定発生確率に基づいたことを特徴とする請求項２９記載の無線通信システムでＡＣＫ／ＮＡＣＫ無線信号の送信方法。
【請求項３１】  前記ＮＡＣＫ信号の電力レベルと臨界電力レベルとの差は、ＮＡＣＫ信号のエラー判定発生確率に基づいたことを特徴とする請求項２９記載の無線通信システムでＡＣＫ／ＮＡＣＫ無線信号の送信方法。
【請求項３２】  前記ＮＡＣＫ信号の絶対電力レベルは、ＡＣＫ信号の絶対電力レベルの１／２より小さいことを特徴とする請求項２８記載の無線通信システムでＡＣＫ／ＮＡＣＫ無線信号の送信方法。
【請求項３３】  データが成功的に受信される場合、第１電力で応答（ＡＣＫ）信号を伝送する段階と、
データが成功的に受信されない場合、第２電力で否定応答（ＮＡＣＫ）信号を伝送する段階とを含み、
ここで、前記第１電力及び第２電力は、独立的に割り当てられることを特徴とする通信システムのＡＣＫ／ＮＡＣＫ信号伝送方法。
【請求項３４】  前記成功的に受信されるということは、
エラーなしに成功的にデコーディングされることを意味することを特徴とする請求項３３に記載の通信システムのＡＣＫ／ＮＡＣＫ信号伝送方法。
【請求項３５】  前記第１電力が第２電力より大きいか、又は前記第２電力が第１電力より大きいことを特徴とする請求項３３に記載の通信システムのＡＣＫ／ＮＡＣＫ信号伝送方法。
【請求項３６】  前記ＡＣＫ／ＮＡＣＫ信号は、
アップリンクＤＰＣＣＨに比例する、応答のための第１電力オフセット及び否定応答のための第２電力オフセットで伝送されることを特徴とする請求項３３に記載の通信システムのＡＣＫ／ＮＡＣＫ信号伝送方法。
【請求項３７】  送信機及び受信機を有する無線通信システムにおいて、
ＤＴＸ＿ＡＣＫエラー発生の確率が第１値より低いＡＣＫとＮＡＣＫ間で応答信号を決定するための臨界電力レベルを獲得する段階と、
前記獲得された臨界電力レベルに基づいてＡＣＫ＿ＮＡＣＫエラー発生確率が第２値以下であるＡＣＫのための要求送信電力を獲得する段階と、
前記獲得された臨界電力レベルに基づいてＮＡＣＫ＿ＡＣＫエラー発生確率が第３値以下であるＮＡＣＫのための要求送信電力を取得する段階と
を含むことを特徴とするＡＣＫ／ＮＡＣＫの送信電力制御方法。
【請求項３８】  前記ＤＴＸ＿ＡＣＫエラー発生は、
受信機は実際に無応答信号を伝送したが、送信機がＡＣＫ信号を受信したと誤判したことを意味することを特徴とする請求項３７に記載のＡＣＫ／ＮＡＣＫの送信電力制御方法。
【請求項３９】  前記ＡＣＫ＿ＮＡＣＫエラー発生は、
受信機は実際にＡＣＫ信号を伝送したが、送信機がＮＡＣＫ信号を受信したと誤判したことを意味することを特徴とする請求項３７に記載のＡＣＫ／ＮＡＣＫの送信電力制御方法。
【請求項４０】  前記ＮＡＣＫ＿ＡＣＫエラー発生は、
受信機は実際にＮＡＣＫ信号を伝送したが、送信機がＡＣＫ信号を受信したと誤判したことを意味することを特徴とする請求項３７に記載のＡＣＫ／ＮＡＣＫの送信電力制御方法。
【請求項４１】  送信機及び受信機を有する無線通信システムにおいて、
ＤＴＸをＡＣＫに誤ってデコーディングする確率を満足する臨界値を決定する段階と、
前記決定された臨界値に基づいてＡＣＫをＮＡＣＫに誤ってデコーディングする確率を満足するＡＣＫ送信電力を決定する段階と、
前記決定された臨界値に基づいてＮＡＣＫをＡＣＫに誤ってデコーディングする確率を満足するＮＡＣＫ送信電力を決定する段階と
を含むことを特徴とするＡＣＫ／ＮＡＣＫの送信電力制御方法。